(57)【要約】【課題】セレクタ装置を有するウエイトトレーニングマシンを提供する。【解決手段】支持フレーム及びセレクタを含む、ウエイトトレーニングマシンである。支持フレームは、２つの平行した案内棒、複数のウエイト、及び駆動軸を含む。セレクタ装置は、如何なる２つの隣り合うウエイト間のギャップに挿入され且つ駆動軸に連結されるセレクタ、及びセレクタに取り付けられたリールを含み、リールは、支持フレームに固定された遠心端を有する伸縮自在な引張りワイヤを有する。したがって、リールの引張りワイヤが、セレクタ２の操作に干渉せず且つウエイト４に絡まないよう、引張りワイヤは、セレクタの移動中、常に真直ぐな状態に保たれる。それにより、利用者のセレクタの操作を容易にし、且つそれにより、利用者の安全を守る。【選択図】図６
0003125927.tif 000002
【実用新案登録請求の範囲】
【請求項１】
ウエイトトレーニングマシンであって、
支持フレームと、
支持フレームに取り付けられたセレクタ装置と、
を備え：
当該支持フレームは、
平行した２つの案内棒と、
該２つの案内棒に移動可能に取り付けられた複数のウエイトと、
当該２つの案内棒間を移動可能で且つ前記の各ウエイトを通って伸びて前記ウエイトを上下に移動させる駆動軸と、
を含み；
当該セレクタ装置は、
如何なる２つの隣り合うウエイト間のギャップに挿入され且つ前記駆動軸に連結されて、決定されたウエイトを移動させるセレクタと、
該セレクタが前記の如何なる２つの隣り合うウエイト間のギャップに挿入され且つ前記駆動軸に連結されるとき、リールの引張りワイヤが常に真直ぐな状態に保たれるよう、当該セレクタに取り付けられ且つ当該支持フレームに固定された遠心端を有する、伸縮自在な当該引張りワイヤを有する当該リールと、
を含む、
ウエイトトレーニングマシン。
【請求項２】
前記支持フレームは更に、
前記２つの案内棒に移動可能に取り付けられた支持プレートと、
該支持プレートに取り付けられた位置決めプレートと、
を含み、且つ
前記リールの前記引張りワイヤの遠心端は、前記支持フレームの当該位置決めプレートに係止される停止ヘッドを設けられ、前記支持プレートは前記ウエイトの最上部に置かれ、前記位置決めプレートは細長い停止スリットが形成された間接部分を有し、且つ前記引張りワイヤの前記停止ヘッドは当該位置決めプレートの前記停止スリットに係止され、前記引張りワイヤの前記遠心端は前記位置決めプレートの前記停止スリットを通って伸び、
前記支持フレームは更に、
前記２つの案内棒に移動可能に取り付けられ且つ当該支持プレート上に配置される操作プレートと、
前記２つの案内棒の夫々に各自移動可能に取り付けられ且つ当該操作プレートと当該支持プレートとの間に各自配置される２つの取り付けチューブと、
を含む、
請求項１記載のウエイトトレーニングマシン。
【請求項３】
前記セレクタは、
前記如何なる２つの隣り合うウエイト間のギャップに挿入され且つ前記駆動軸に連結された操作プレートが形成された第１部分と、
直立区間が形成された間接部分と、
平坦なプレートが形成された第２部分と、
を有し、
前記支持フレームの前記駆動軸は、複数の環状の保持開先が形成された外壁を有し、且つ
前記セレクタの前記操作プレートは、該操作プレートを前記駆動軸に固定させるため、前記駆動軸の前記保持開先のいずれか１つに挿入され且つ保持される２つの対向する保持プラグが形成された二叉の遠心端と、
前記２つの保持プラグ間に配置されて前記駆動軸をクランプするクランプ開口部と、
を有し、
前記セレクタの前記平坦なプレートは、利用者が前記セレクタを操作することを容易にするよう、前記直立区間と平行する取手が設けられた遠心端を有し、
前記リールは前記セレクタの前記直立区間に取り付けられ、前記セレクタの前記平坦なプレートには通り穴が形成され、且つ前記リールの前記引張りワイヤは、前記セレクタの前記通り穴を通って伸び且つ前記通り穴から外側に突出する、
請求項１記載のウエイトトレーニングマシン。
【請求項４】
前記引張りワイヤは前記リールに伸縮自在に取り付けられ且つ前記リールの出口穴を通って伸び且つ該出口穴から外側に突出し、
前記セレクタが前記ウエイト及び前記駆動軸から分離されるとき、前記リールの前記引張りワイヤは常に真直ぐな状態に保たれ、且つ前記リールの前記引張りワイヤは、前記セレクタの移動中常に真直ぐな状態に保たれ、それにより前記リールの前記引張りワイヤは前記セレクタの操作に干渉せず且つ前記ウエイトと絡まることはない、
請求項１記載のウエイトトレーニングマシン。
【請求項５】
前記セレクタは、前記リールの前記引張りワイヤによって前記支持フレームの前記位置決めプレートに限定される、
請求項２記載のウエイトトレーニングマシン。
【考案の詳細な説明】
【技術分野】
【０００１】
本考案は、ウエイトトレーニングマシンに係り、より詳細には、セレクタ装置を有するウエイトトレーニングマシンに係る。
【背景技術】
【０００２】
図８及び図９に示される従来技術による通常のウエイトトレーニングマシンは、支持フレーム、及び支持フレーム上に取り付けられたセレクタ８６を備える。支持フレームは、２つの平行した案内棒８１、２つの案内棒８１に移動可能に取り付けられた複数のウエイト８４、２つの案内棒８１間を移動可能で且つ各ウエイト８４を通って伸びウエイト８４を上下に移動させる駆動軸８９、及び駆動軸８９に取り付けられて駆動軸８９を移動させる駆動ベルト８３を含む。駆動軸８９は、複数の通り穴（図示せず）を有し、各ウエイト８４は、駆動軸８９の通り穴の夫々と整合する通り穴８５を有する。セレクタ８６は、弾性の連結コード８７によって、駆動軸８９に接続される。
【０００３】
操作中、セレクタ８６が、ウエイト８４の夫々の通り穴８５及び駆動軸８９の通り穴の夫々に挿入されて、ウエイト８４の決定された個数を駆動軸８９上に係止される。そのようにして、駆動軸８９が、駆動ベルト８３によって引き上げられるとき、ウエイト８４の決定された個数が、駆動軸８９によって引き上げられて、２つの案内棒８１に沿って移動される。駆動ベルト８３は、利用者によって引かれる。したがって、利用者は、ウエイト８４に対抗することにより自身の筋肉を運動させることができ、それにより、ウエイトトレーニング効果を達成する。
【０００４】
しかしながら、連結コード８７は、駆動軸８９とともに移動し、それにより連結コード８７の全長が伸びる。その結果、長期にわたる利用のあいだ、連結コード８７が、容易に弾性疲労を生じる。加えて、連結コード８７は、容易にウエイト８４に絡まり、それにより、ウエイト８４の操作に干渉し、且つそれにより、利用者の安全に危険を引き起こす。
【考案の開示】
【考案が解決しようとする課題】
【０００５】
本考案は、容易に且つ好都合に操作されるセレクタ装置を有する、ウエイトトレーニングマシンを提供することを主な目的とする。
【０００６】
本考案の別の目的は、リールの引張りワイヤが、セレクタの操作に干渉しないよう且つウエイトに絡むことがないよう、セレクタの移動中常に真直ぐな状態に保たれ、それにより利用者がセレクタを操作することを容易にし、且つそれにより利用者の安全を守る、ウエイトトレーニングマシンを提供する。
【０００７】
本考案の更なる目的は、セレクタが、駆動軸と強固に且つ安定して結合されるよう、セレクタの２つの保持プラグが、駆動軸の保持開先の夫々に保持され、且つセレクタのクランプ開口部が、駆動軸にクランプされ、それにより、利用者がセレクタを操作することを容易にし、ウエイトを円滑に移動させる、ウエイトトレーニングマシンを提供する。
【課題を解決するための手段】
【０００８】
本考案によれば、支持フレーム、及び支持フレームに取り付けられたセレクタ装置を備えるウエイトトレーニングマシンが提供される。支持フレームは、２つの平行した案内棒、２つの案内棒に移動可能に取り付けられた複数のウエイト、及び２つの案内棒間を移動可能で且つ各ウエイトを通って伸びてウエイトを上下に移動させる駆動軸を含む。セレクタ装置は、如何なる２つの隣り合うウエイト間のギャップに挿入され且つ決定されたウエイトを移動させるために駆動軸に連結されたセレクタ、及びセレクタ２に取り付けられ且つ伸縮自在な引張りワイヤ１３を有するリール１を含む。セレクタ２が駆動軸５３に連結されるとき、リール１の引張りワイヤ１３が常に真直ぐな状態に保たれるよう、引張りワイヤ１３は、支持フレーム９に固定された遠心端を有する。
【０００９】
本考案の更なる利益及び利点は、添付の図面を適切に参照するとともに、以下に記載の詳細な説明を熟読することで明らかになろう。
【考案を実施するための最良の形態】
【００１０】
図面を参照し、最初に図１〜図５を参照すると、本考案の好ましい実施形態によるウエイトトレーニングマシンが、支持フレーム９、及び支持フレーム９に取り付けられたセレクタ装置を備える。
【００１１】
支持フレーム９は、弧状の柱９１、上端が弧状の柱９１の上端に連結された直立した柱９２、弧状の柱９１の下端と直立した柱９２の下端との間に取り付けられた横方向の柱９０、弧状の柱９１と横方向の柱９０との間に取り付けられた２つの平行した案内棒９３、２つの案内棒９３に移動可能に取り付けられた複数のウエイト４、２つの案内棒９３間を移動可能で且つ各ウエイト４を通って伸びてウエイト４を上下に移動させる駆動軸５３、駆動軸５３上に取り付けられて駆動軸５３を移動させる駆動ベルト９５、２つの案内棒９３に移動可能に取り付けられ且つ複数のウエイト４の最上部に置かれた支持プレート５０、２つの案内棒９３に移動可能に取り付けられ且つ支持プレート５０の上に配置される操作プレート５、２つの案内棒９３の夫々に各自移動可能に取り付けられ且つ操作プレート５と支持プレート５０との間に各自配置される２つの取り付けチューブ５１、及び支持プレート５０上に取り付けられる位置決めプレート６を含む。
【００１２】
支持フレーム９の駆動軸５３は、図５に示されるように、複数の環状の保持開先５４で形成された外壁を有する。支持フレーム９の位置決めプレート６は、略Ｕ字型で２つの遠心端を有し、各遠心端は、止めねじ６２により支持プレート５０に固定される。位置決めプレート６は、細長い停止スリット６１で形成された間接部分を有する。
【００１３】
セレクタ装置は、如何なる２つの隣り合うウエイト４間のギャップ４０に挿入され且つ駆動軸５３に連結されて、決定されたウエイト４を移動させるセレクタ２、及びセレクタ２に取り付けられ且つ伸縮自在な引張りワイヤ１３を有するリール１を含む。セレクタ２が駆動軸５３に連結されるとき、リール１の引張りワイヤ１３が常に真直ぐな状態に保たれるよう、引張りワイヤ１３は、支持フレーム９に固定された遠心端を有する。
【００１４】
セレクタ２は、略Ｚ字型である。セレクタ２は、如何なる２つの隣り合うウエイト４間のギャップ４０に挿入され且つ駆動軸５３に連結される操作プレート２２で形成される第１部分、直立区間２６で形成される間接部分、及び平坦なプレート２０で形成される第２部分を有する。セレクタ２の操作プレート２２は、駆動軸５３の保持開先５４のいずれか１つに挿入され且つ保持されて、操作プレート２２を駆動軸５３に固定する、２つの対向する保持プラグ２３で形成される二叉の遠心端、及び２つの保持プラグ２３間に配置されて駆動軸５３をクランプする、クランプ開口部２５を有する。したがって、セレクタ２が、駆動軸５３と強固に且つ安定して結合されるよう、セレクタ２の２つの保持プラグ２３は、駆動軸５３の保持開先５４の夫々に保持され、且つセレクタ２のクランプ開口部２５は、駆動軸５３にクランプされる。それにより、利用者が、セレクタ２を操作してウエイト４を円滑に移動させることを容易にする。セレクタ２の直立区間２６に、２つのねじ止め穴２７が形成される。セレクタ２の平坦なプレート２０には、通り穴２００が形成され、且つ直立区間２６と平行する取手２１が設けられた遠心端を有することで、利用者のセレクタ２の操作を容易にする。
【００１５】
リール１が、セレクタ２の直立区間２６に取り付けられ、２つの耳１０が設けられた周辺部を有する。各耳には、固定穴１１が形成され、且つセレクタ装置は更に、２つの止めボルト７を含み、各止めボルト７は、リール１の固定穴１１を通って延伸し、且つリール１をセレクタ２に固定するため、各止めボルト７が、セレクタ２のねじ止め穴２７の夫々にねじ留めされる。引張りワイヤ１３は、伸縮自在にリール１に取り付けられ、リール１の出口穴１４を通って伸び、且つ出口穴１４から外側に突出する。リール１の引張りワイヤ１３は、セレクタ２の通り穴２００を通って伸び、且つ通り穴２００から外側に突出する。リール１の引張りワイヤ１３の遠心端は、支持フレーム９の位置決めプレート６に係止された球状の停止ヘッド１２が設けられる。引張りワイヤ１３の遠心端は、位置決めプレート６の停止スリット６１を通って伸び、引張りワイヤ１３の停止ヘッド１２は、位置決めプレート６の停止スリット６１に係止される。
【００１６】
操作中、図１〜図７を参照すると、セレクタ２は、如何なる２つの隣り合うウエイト４間のギャップ４０に挿入され且つ駆動軸５３に連結されて、決定された個数のウエイト４を駆動軸５３に係止する。そのようにして、駆動軸５３が駆動ベルト９５によって引っ張り上げられたとき、決定された個数のウエイト４が、駆動軸５３によって引っ張り上げられて、２つの案内棒９３に沿って移動する。駆動ベルト９５は、利用者によって引かれる。したがって、利用者は、ウエイト４に連続的に対抗する（counteracting）ことにより自身の筋肉を運動させることができ、それにより、ウエイトトレーニング効果を達成する。
【００１７】
図６及び図７に示されるように、リール１は、セレクタ２に取り付けられ、リール１の引張りワイヤ１３の停止ヘッド１２は、セレクタ２が、リール１の引張りワイヤ１３によって支持フレーム９の位置決めプレート６に限定されるよう、位置決めプレート６の停止スリット６１に係止される。
【００１８】
図６に示されるように、リール１の引張りワイヤ１３は、セレクタ２が、ウエイト４及び駆動軸５３から分離されるとき、常に真直ぐな状態に保たれる。
【００１９】
図７に示されるように、リール１の引張りワイヤ１３もまた、セレクタ２が、如何なる２つの隣り合うウエイト４間のギャップ４０に挿入され且つ駆動軸５３に連結されるとき、常に真直ぐな状態に保たれる。
【００２０】
したがって、リール１の引張りワイヤ１３が、セレクタ２の操作に干渉せず且つウエイト４に絡まないよう、リール１の引張りワイヤ１３は、セレクタ２の移動中、常に真直ぐな状態に保たれる。それにより、利用者のセレクタ２の操作を容易にし、且つそれにより利用者の安全を守る。加えて、セレクタ２の２つの保持プラグ２３は、駆動軸５３の保持開先５４の夫々に保持され、且つセレクタ２が、駆動軸５３と強固に且つ安定して結合されるよう、セレクタ２のクランプ開口部２５は、駆動軸５３にクランプされる。それにより、利用者のセレクタ２の操作を容易にさせてウエイト４を円滑に移動させる。
【図面の簡単な説明】
【００２１】
【図１】本考案の好ましい実施形態によるウエイトトレーニングマシンの斜視図である。
【図２】図１に示されるウエイトトレーニングマシンのセレクタ装置の斜視図である。
【図３】図２に示されるウエイトトレーニングマシンのセレクタ装置の分解斜視図である。
【図４】図１に示されるウエイトトレーニングマシンの部分拡大図である。
【図５】図４に示されるウエイトトレーニングマシンの部分断面図である。
【図６】図４に示されるウエイトトレーニングマシンの概略的な動作線図である。
【図７】図６に示されるウエイトトレーニングマシンの概略的な動作線図である。
【図８】従来技術による通常のウエイトトレーニングマシンの部分斜視図である。
【図９】図８に示される通常のウエイトトレーニングマシンの概略的な動作線図である。
【符号の説明】
【００２２】
１      リール
２      セレクタ
４      ウエイト
５      操作プレート
６      位置決めプレート
７      止めボルト
９      支持フレーム
１０      耳
１１      固定穴
１２      停止ヘッド
１３      引張りワイヤ
１４      出口穴
２０      平坦なプレート
２１      取手
２２      操作プレート
２３      保持プラグ
２５      クランプ開口部
２６      直立区間
２７      ねじ止め穴
４０      ギャップ
５０      支持プレート
５１      取り付けチューブ
５３      駆動軸
５４      駆動軸の保持開先
６１      停止スリット
６２      止めねじ
８１      案内棒
８３      駆動ベルト
８４      ウエイト
８５      通り穴
８６      セレクタ
８７      連結コード
８９      駆動軸
９０      横方向の柱
９１      弧状の柱
９２      直立した柱
９３      案内棒
９５      駆動ベルト
２００      通り穴
【図１】
0003125927.tif 000003
【図２】
0003125927.tif 000004
【図３】
0003125927.tif 000005
【図４】
0003125927.tif 000006
【図５】
0003125927.tif 000007
【図６】
0003125927.tif 000008
【図７】
0003125927.tif 000009
【図８】
0003125927.tif 000010
【図９】
0003125927.tif 000011